(57)【要約】      （修正有）【課題】できるだけ簡素な構造かつ簡便な操作により、照明色を部分的に変更できる照明器具を提供する。【解決手段】直管型筐体内の長手方向に直列配置された発光ダイオード群３０２に対し、色変換特性を有する調色スポット群３０５、３０６を有する調色シート３０３、３０４を異なる領域に複数配置し、該調色シート３０３、３０４のそれぞれを独立して手動により長手方向に移動させることが可能な構成とすることにより、非常に簡便な操作で部分的に異なる調色を行うことができる。【選択図】図３
0003213953.tif 000002
【実用新案登録請求の範囲】
【請求項１】
直管型筐体内に、その長手方向に直列配置された発光ダイオード群と、シート上に前記発光ダイオード群の発光色を変換する調色スポット群が配置された調光シートを有する照明器具であって、
複数の前記調色シートを前記発光ダイオード群の発光部側の異なる領域に配置するともに、該複数の調光シートをそれぞれ別個に前記長手方向に手動により移動させる手段を設けたことを特徴とする照明器具。
【請求項２】
前記調色シートは独立して移動できる複数枚が互いに干渉しない位置に配置され、部分的に異なる調色が可能であることを特徴とする請求項１又は２に記載の照明器具。
【請求項３】
前記移動させる手段が、前記調色シートに設けられた、前記筐体外部に突出するつまみであることを特徴とする請求項１又は２に記載の照明器具。
【請求項４】
前記調色シートは、前記発光ダイオード群の発光色を変換しない透明体で形成されており、前記発光ダイオード群の発光色が該調色シート上の調色スポット群による色変換を受けずに照明色となる位置に移動可能であることを特徴とする請求項１〜３のいずれか１項に記載の照明器具。
【請求項５】
前記調色シートは、前記発光ダイオード群の発光色が該調色シート上の調色スポット群による色変換を受けて照明光となる位置に移動可能であることを特徴とする請求項１〜４のいずれか１項に記載の照明器具。
【請求項６】
前記調色スポット群は、色変換特性の異なる複数種の調色スポットからなり、前記移動させる方向を変更することにより、前記発光ダイオード群の発光色が異なる色変換を受けることを特徴とする請求項１〜５のいずれか１項に記載の照明器具。
【請求項７】
前記発光ダイオード群は白色発光ダイオードからなり、前記調色スポット群は該白色発光ダイオードの緑色成分比率を高めるものと、該白色発光ダイオードのオレンジ色成分比率を高めるものの少なくとも２種からなることを特徴とする請求項１〜６のいずれか１項に記載の照明器具。
【考案の詳細な説明】
【技術分野】
【０００１】
本発明は、部分調色可能な照明器具に関し、特に発光ダイオード群と該発光ダイオード群の発光部側に配置された調色シートを組み合わせて実現される、部分調色可能な照明器具に関する。
【背景技術】
【０００２】
１９９０年代に青色発光ダイオードが実用化されたことにより、発光ダイオードで光の三原色を生成することが可能になり、省電力および長寿命という特徴により、現在は白色照明としては標準的な方式になっている。白色照明としての低コスト化のため、光源としては青色発光ダイオードの一色のみを使用し、これと補色となる黄色の蛍光体を組み合わせることで疑似白色を生成する方式が広く利用されている。
【０００３】
白色発光ダイオードを照明用に使用する場合、目的に応じて色調を変更することが一般的である。携帯電話機やコンピュータディスプレイのように、各色を忠実に表現する必要がある用途では、青色発光ダイオードと組み合わせる蛍光体もできるだけ均一に緑色、黄色、赤色の発光成分が得られるような特性をもったものが選定される。一方、一般家庭照明用としては暖色系の白色照明が好まれるため、蛍光体もオレンジや赤色の成分が相対的に多くなるものが選定される。この他、店舗用の照明であれば、赤身の肉や魚の売り場では赤色成分の多い白色照明、野菜等の売り場では青色や緑色の成分が多い白色照明がそれぞれ積極的に利用される傾向がある。
【０００４】
以上のように、白色照明の用途が決まっている場合には、その目的に応じた発光特性を有する白色照明装置を製作することは比較的容易となっている。しかしながら、用途や目的が必ずしも一定ではなく、状況に応じて変更されるものである場合、発光ダイオードと蛍光体の組み合わせを固定することはできなくなる。例えば一般家庭用の照明であっても、夏季には青色成分の強い白色の方が好まれ、冬季には赤色成分の強い白色の方が好まれる傾向がある。
【０００５】
とくに、商品陳列用に白色照明を用いる場合、商品の入荷状況あるいは販売状況によって日々照明を変更する必要が生じる。例えば鮮魚売り場の場合、暖色系の照明が適している赤身の魚肉と寒色系の照明が適している青魚の魚肉を並べて配置することもあり、より狭い範囲ごとに照明色を変える必要がある。室内照明用としては最近、発光ダイオードの調色が可能な製品も普及してきているが、調色には専用のコントローラによる操作が必要であったり、非常に高価であるため、商品陳列用に多数配置するということは難しい。
【０００６】
考案者は、不連続な蛍光体群が塗布された回転体を調色つまみによって回転させ、発光ダイオード群に対する蛍光体群の被覆率を変化させることにより、電気的な調色手段を用いることなく、容易に調色が可能になる構成を提案している（特許文献１）
【先行技術文献】
【特許文献】
【０００７】
【特許文献１】実用新案登録第３２０３７２７号
【考案の概要】
【考案が解決しようとする課題】
【０００８】
上記特許文献１に示す構造は、小型化及び低コスト化が容易であって、設置の位置および数量も高い自由度で選択することができるものの、円形導光板に入射する光を直接調色するため、照明面全体の調色は可能であるが、部分的に異なる発光色を得ることはできない。また、最近では生鮮食品売り場向けの照明を謳っているスポット照明も販売されているが、スポット光源は出射角が狭いため、天井に近い位置から照明することを想定しており、日常的に調光を行うには不便である。
以上のように、商品陳列用を主用途とする白色照明としては、商品配置に合わせた部分的な調色が可能であること、および、日常的に調色ができるように、商品に近い位置からの照明が可能であることが課題となっている。
【０００９】
本考案は、このような状況を鑑みてなされたものであり、発光ダイオードを利用した照明器具において、できるかぎり簡素な構造と操作方法により、商品配置にあわせた部分的な調色が可能な照明器具を提供することを目的とするものである。
【課題を解決するための手段】
【００１０】
上記目的を解決すべく検討した結果、長管型筐体を有する照明器具において、該筐体の内に長手方向に直列配置された発光ダイオード群に対し、色変換特性を有する調色スポット群を有する調色シートを異なる領域に複数配置し、該調色シートのそれぞれを独立して手動により長手方向に移動させることが可能な構成とすることにより、非常に簡便な操作で部分的に異なる調色を行うことができることが判明した。
【００１１】
本考案の照明器具は、該知見に基づいてなされたものであり、次のような特徴を有するものである。
［１］直管型筐体内に、その長手方向に直列配置された発光ダイオード群と、シート上に前記発光ダイオード群の発光色を変換する調色スポット群が配置された調光シートを有する照明器具であって、
複数の前記調色シートを前記発光ダイオード群の発光部側の異なる領域に配置するとともに、該複数の調光シートをそれぞれ別個に前記長手方向に手動により移動させる手段を設けたことを特徴とする照明器具。
［２］前記調色シートは独立して移動できる複数枚が互いに干渉しない位置に配置され、部分的に異なる調色が可能であることを特徴とする［１］に記載の照明器具。
［３］前記移動させる手段が、前記調色シートに設けられた、前記筐体外部に突出するつまみであることを特徴とする［１］又は［２］に記載の照明器具。
［４］前記調色シートは、前記発光ダイオード群の発光色を変換しない透明体で形成されており、前記発光ダイオード群の発光色が該調色シート上の調色スポット群による色変換を受けずに照明色となる位置に移動可能であることを特徴とする［１］〜［３］のいずれかに記載の照明器具。
［５］前記調色シートは、前記発光ダイオード群の発光色が該調色シート上の調色スポット群による色変換を受けて照明光となる位置に移動可能であることを特徴とする［１］〜［４］のいずれかに記載の照明器具。
［６］前記調色スポット群は、色変換特性の異なる複数種の調色スポットからなり、前記移動させる方向を変更することにより、前記発光ダイオード群の発光色が異なる色変換を受けることを特徴とする［１］〜［５］のいずれかに記載の照明器具。
［７］前記発光ダイオード群は白色発光ダイオードからなり、前記調色スポット群は該白色発光ダイオードの緑色成分比率を高めるものと、該白色発光ダイオードのオレンジ色成分比率を高めるものの少なくとも２種からなることを特徴とする［１］〜［６］のいずれかに記載の照明器具。
【考案の効果】
【００１２】
本考案の照明器具によれば、非常に簡便な手動操作により、部分的に異なる発光色の白色照明を得ることができる。また、本考案の照明器具はその構成も簡素であり、小型化および低コスト化が容易であるため、設置の位置および数量も高い自由度で選択することができ、目的に最適化した使用形態が可能となる。
【図面の簡単な説明】
【００１３】
【図１】本考案の照明器具の調色機能に関与する構成の発光面側を示す図
【図２】本考案の照明器具の調色機能に関与する構成の側面側を示す図
【図３】本考案の１つの実施形態における照明器具の内部構成を示す図
【図４】本考案の１つの実施形態における照明器具の側面側の概観図
【図５】本考案の１つの実施形態における照明器具の発光面側の概観図
【図６】本考案の他の実施形態における照明器具の発光面側の概観図
【考案を実施するための形態】
【００１４】
以下、本考案の照明器具について説明する。
商品陳列用の照明において、日常的に調色が行いやすいように商品に近い位置から照明を行うためには、スポット照明型は出射角の問題で不向きであるが、面照明型も設置スペースの問題で不向きである。そこで、本考案の照明器具は、一般的な蛍光灯としても広く用いられている直管型とした。
最近は、従来の蛍光灯と同じ外形を有する発光ダイオード光源内蔵の直管型ライトも普及しており、細長い基板上に白色発光ダイオードが直列配置されている。
【００１５】
本考案の照明器具では、このように直列配置された発光ダイオード群の発光面側に、調色シートを配置することにより、照明器具における調色を行う。
該調色シートは、透明な樹脂等で形成されており、発光ダイオード群の発光色を変換する調色スポット群が塗布などの方法で配置されている。調光シート上の調色スポット群が発光ダイオード群の発光面と重ならない位置（標準位置）にある場合は、発光ダイオードの光が何らの変換も受けずに透過する。調色シートは、例えば摺動つまみ等によって手動で移動させることが可能であり、調光シートを移動させて、調色スポット群を発光ダイオード群の発光面に重ねる或いは重なる領域を変化させることにより、照明色を変換することが可能である。
【００１６】
調光シート上の調光スポット群の調光性能は用いる発光ダイオードに応じて適宜選択することができ、好ましくは、調色スポット群は調色性能の異なる複数の種類から成っており、調光シートの移動方向または移動量を変えることにより、照明色は異なる変換を受けるようになっている。
調光スポット群の配置は特に限定されないが、その一例を挙げると、発光ダイオードが白色ダイオードである場合、調光シート上の調色スポット群として、寒色系変換用の調色スポット群と暖色系変換用の調色スポット群とを用い、標準位置では、発光ダイオード群の発光面の左側に寒色系変換用の調色スポット群が配置され、右側に暖色系変換用の調色スポット群が配置されるようにすることで、調色シートを右側に移動させれば寒色系の白色照明に、左側に移動させれば暖色系の白色照明に変換されるようにすることが可能である。また、２種以上の調色性能の異なる複数の調色スポット群をつなげて配置し、標準位置では、発光ダイオード群の発光面の左側又は右側のいずれかに前記の繋がった複数の調色スポット群が配置されるようにすることで、調光シートを左側又は右側へ移動させて、重なる領域を連続的に変えることにより、連続した異なる色への変換が可能である。
【００１７】
このような構成の照明器具単体では、全体の調色は可能であっても、部分的に調色を行うという課題が解決されない。そこで本考案の照明器具では、前記の移動可能な調色シートを、異なる領域に複数内蔵し、それぞれ独立に移動できる構成とする。例えば、直列に発光ダイオードが配置された基板上に、基板領域を３分の１ずつカバーする独立した調色シートを配置する。これにより、直管ライトの左側は寒色系白色、中央は通常白色、右側は暖色系白色にするといった調色が可能な照明器具となる。
【００１８】
以下、図面を用いて本考案の照明器具の実施形態についてさらに詳細に説明するが、本考案はこれによって限定されるものではない。
図３は、本考案の１つの実施形態における照明器具の内部構成を示す図であり、図４は、該照明器具の側面側の概観図であり、図５は、該照明器具の発光面側の概観図であり、図は、本考案の他の実施形態における照明器具の発光面側の概要図である。
【００１９】
最初に、図１及び図２を用いて、本考案の照明器具の調色機能について説明する。
図１は、本考案の照明器具の調色機能に必要な構成を示したものである。
図１(ａ)は、直管型の発光ダイオードライトに一般的に用いられる光源基板を示す図であり、基板１０１上に発光ダイオード素子群１０２が等間隔に配置されている。
図１(ｂ)は、本考案の照明器具の調色機能を実現するための調色シートを示す図である。シート基材１０３は透明樹脂などの透明体で形成され、この上に調色スポットＡ群１０４と調色スポットＢ群１０５が塗布などの方法により配置される。調色スポットは光源からの光により励起され異なる波長の蛍光を放出する蛍光体、または、カラーフィルムなどのように波長ごとに透過率の異なる特性を有する物質で形成される。発光ダイオード素子群１０２は白色発光ダイオードとすることが通常であるが、調色スポットが黄色蛍光体であり、青色発光ダイオードとの組み合わせにより疑似白色を生成できる組み合わせとする場合もある。
【００２０】
図１(ｃ)は、図１(ａ)に示す光源基板上に、図１(ｂ)に示す調色シートを標準位置で重ねた状態を示している。
このように、標準位置では、発光ダイオード素子群１０２の上には調色スポットＡ群１０４および調色スポットＢ群１０５は重ならないため、発光ダイオード素子群１０２の白色光がそのまま調色シートを透過し、照明色となる。青色発光ダイオードを用いる場合には、標準位置で青色発光ダイオードに標準色の黄色蛍光体が重なるように配置しておけばよい。
調色シートには、調色つまみ１０６が形成され、これを移動（図１の例では左右方向）させることにより、調色スポットＡ群１０４または調色スポットＢ群１０５により調色された照明光が放出されることになる。一例としては、調色スポットＡ群１０４はやや青色波長成分が多い寒色系の白色光に変換する性質を有し、調色スポットＢ１０５はやや赤色波長成分が多い暖色系の白色光に変換する性質を有することで、簡単に寒色系、標準色、暖色系の白色照明を得ることができる。
【００２１】
図２（ａ）は、図１(ｃ)の状態を、照明器具の側面方向から見た図であって、光源基板と調色シートを標準位置で重ねた状態を示すものである。
図２(ｂ)は、調色シートを右方向に移動させた状態を示している。このとき、発光ダイオード素子群２０１の発光面に、調色スポットＡ群２０２が重なり、照明色は調色スポットＡによる変換を受けたものになる。
図２(ｃ)は、調色シートを左方向に移動させた状態であり、このときは発光ダイオード素子群２０１の発光面に、調色スポットＢ群２０３が重なり、照明色は調色スポットＢによる変換を受けたものになる。
なお、図１、２に図示した例では、標準位置では、発光ダイオード群１０２の左側及び右側に、それぞれ調色スポットＡ群１０４及び調色スポットＢ群１０５が配置されているが、発光ダイオード群１０２の左側又は右側のいずれか一方に、調色スポットＡ群１０４及び調色スポットＢ群１０５が繋がって配置されていてもよく、この場合寒色系の白色光から暖色系の白色光への連続的に変換が可能となる。
【００２２】
図２までの構成では、各発光ダイオードと各調色スポットの重なり状態が全体で一様であるため、部分的に異なる調色を行うことができない。
そこで、本考案では、図３に示すように、光源基板３０１に対し、複数の独立移動が可能な調色シートを配置する。図３の構成では、調色シートＸ３０３と調色シートＹ３０４は分離されており、独立かつ互いに干渉しないように配置されている。これにより、調色シートＸ３０３は標準位置にあるため、この位置での照明は発光ダイオード素子群３０２と同じ標準色となり、一方、調色シートＹ３０４は標準位置から右に移動しているため、この位置での照明は調色スポットＡ群３０５による変換を受けた色となる。これを左に移動させれば調色スポットＢ群３０６による変換を受けた色となる。図示はしないが、調色シートＸ３０３を動かすことにより、この位置の照明色を変更することも可能である。また、図３の例は照明領域を２分割したものになっているが、独立した調色シートをＮ枚配置すれば、Ｎ分割した領域ごとに照明色を変更することが可能である。
【００２３】
図４は、本考案の照明器具の概観図である。筐体４０１の内部に、図３で示した光源基板および調色シートを収容し、筐体側面にはガイド穴４０２が設けられており、調色シートに付与された調色つまみ４０３が外部に露出している。これを指で移動させることにより、各調色シート領域ごとに照明色の変更を行う。調色シートが光源基板と接触することは好ましくないため、筐体４０１内部にはシートガイド溝４０４が設けられ、これに沿って調色シートは移動する。なお、発光ダイオードは指向性の強い光源であるため、筐体４０１の照明面には光拡散シート４０５が設置され、光量の均一性を高めるようになっている。
【００２４】
図５は、図４の照明器具を発光面側から見た概観図である。左側発光域５０１は、この図の例では左側調色つまみ５０２が標準位置にあるため標準色となっており、右側発光域５０３は、この図の例では右側調色つまみ５０４が標準位置から右側に移動しているため、調色された白色光となる。
また、図６は、発光域が３等分されている例である。左側発光域６０１は、この図の例では左側調色つまみ６０２が標準位置にあるため標準色となっており、中央発光域６０３は、この図の例では中央調色つまみ６０４が標準位置から右側に移動しているため、調色された白色光となる。さらに、右側発光域６０５は、この図の例では右側調色つまみ６０６が標準位置から左側に移動しているため、中央発光域とは異なる色に調色された白色光となる。
【符号の説明】
【００２５】
１０１  基板
１０２  発光ダイオード素子群
１０３  シート基材
１０４  調色スポットＡ群
１０５  調色スポットＢ群
１０６  調色つまみ
２０１  発光ダイオード素子群
２０２  調色スポットＡ群
２０３  調色スポットＢ群
３０１  光源基板
３０２  発光ダイオード素子群
３０３  調色シートＸ
３０４  調色シートＹ
３０５  調色スポットＡ群
３０６  調色スポットＢ群
４０１  筐体
４０２  ガイド穴
４０３  調色つまみ
４０４  シートガイド溝
４０５  光拡散シート
５０１  左側発光域
５０２  左側調色つまみ
５０３  右側発光域
５０４  右側調色つまみ
６０１  左側発光域
６０２  左側調色つまみ
６０３  中央発光域
６０４  中央調色つまみ
６０５  右側発光域
６０６  右側調色つまみ
【図１】
0003213953.tif 000003
【図２】
0003213953.tif 000004
【図３】
0003213953.tif 000005
【図４】
0003213953.tif 000006
【図５】
0003213953.tif 000007
【図６】
0003213953.tif 000008
【手続補正書】
【提出日】平成29年10月23日(2017.10.23)
【手続補正１】
【補正対象書類名】実用新案登録請求の範囲
【補正対象項目名】請求項１
【補正方法】変更
【補正の内容】
【請求項１】
直管型筐体内に、その長手方向に直列配置された発光ダイオード群と、シート上に前記発光ダイオード群の発光色を変換する調色スポット群が配置された調色シートを有する照明器具であって、
複数の前記調色シートを前記発光ダイオード群の発光部側の異なる領域に配置するともに、該複数の調色シートをそれぞれ別個に前記長手方向に手動により移動させる手段を設けたことを特徴とする照明器具。
【手続補正２】
【補正対象書類名】明細書
【補正対象項目名】００１１
【補正方法】変更
【補正の内容】
【００１１】
本考案の照明器具は、該知見に基づいてなされたものであり、次のような特徴を有するものである。
［１］直管型筐体内に、その長手方向に直列配置された発光ダイオード群と、シート上に前記発光ダイオード群の発光色を変換する調色スポット群が配置された調色シートを有する照明器具であって、
複数の前記調色シートを前記発光ダイオード群の発光部側の異なる領域に配置するとともに、該複数の調色シートをそれぞれ別個に前記長手方向に手動により移動させる手段を設けたことを特徴とする照明器具。
［２］前記調色シートは独立して移動できる複数枚が互いに干渉しない位置に配置され、部分的に異なる調色が可能であることを特徴とする［１］に記載の照明器具。
［３］前記移動させる手段が、前記調色シートに設けられた、前記筐体外部に突出するつまみであることを特徴とする［１］又は［２］に記載の照明器具。
［４］前記調色シートは、前記発光ダイオード群の発光色を変換しない透明体で形成されており、前記発光ダイオード群の発光色が該調色シート上の調色スポット群による色変換を受けずに照明色となる位置に移動可能であることを特徴とする［１］〜［３］のいずれかに記載の照明器具。
［５］前記調色シートは、前記発光ダイオード群の発光色が該調色シート上の調色スポット群による色変換を受けて照明光となる位置に移動可能であることを特徴とする［１］〜［４］のいずれかに記載の照明器具。
［６］前記調色スポット群は、色変換特性の異なる複数種の調色スポットからなり、前記移動させる方向を変更することにより、前記発光ダイオード群の発光色が異なる色変換を受けることを特徴とする［１］〜［５］のいずれかに記載の照明器具。
［７］前記発光ダイオード群は白色発光ダイオードからなり、前記調色スポット群は該白色発光ダイオードの緑色成分比率を高めるものと、該白色発光ダイオードのオレンジ色成分比率を高めるものの少なくとも２種からなることを特徴とする［１］〜［６］のいずれかに記載の照明器具。  
【手続補正３】
【補正対象書類名】明細書
【補正対象項目名】００１５
【補正方法】変更
【補正の内容】
【００１５】
本考案の照明器具では、このように直列配置された発光ダイオード群の発光面側に、調色シートを配置することにより、照明器具における調色を行う。
該調色シートは、透明な樹脂等で形成されており、発光ダイオード群の発光色を変換する調色スポット群が塗布などの方法で配置されている。調色シート上の調色スポット群が発光ダイオード群の発光面と重ならない位置（標準位置）にある場合は、発光ダイオードの光が何らの変換も受けずに透過する。調色シートは、例えば摺動つまみ等によって手動で移動させることが可能であり、調色シートを移動させて、調色スポット群を発光ダイオード群の発光面に重ねる或いは重なる領域を変化させることにより、照明色を変換することが可能である。
【手続補正４】
【補正対象書類名】明細書
【補正対象項目名】００１６
【補正方法】変更
【補正の内容】
【００１６】
調色シート上の調色スポット群の調色性能は用いる発光ダイオードに応じて適宜選択することができ、好ましくは、調色スポット群は調色性能の異なる複数の種類から成っており、調色シートの移動方向または移動量を変えることにより、照明色は異なる変換を受けるようになっている。
調色スポット群の配置は特に限定されないが、その一例を挙げると、発光ダイオードが白色ダイオードである場合、調色シート上の調色スポット群として、寒色系変換用の調色スポット群と暖色系変換用の調色スポット群とを用い、標準位置では、発光ダイオード群の発光面の左側に寒色系変換用の調色スポット群が配置され、右側に暖色系変換用の調色スポット群が配置されるようにすることで、調色シートを右側に移動させれば寒色系の白色照明に、左側に移動させれば暖色系の白色照明に変換されるようにすることが可能である。また、２種以上の調色性能の異なる複数の調色スポット群をつなげて配置し、標準位置では、発光ダイオード群の発光面の左側又は右側のいずれかに前記の繋がった複数の調色スポット群が配置されるようにすることで、調色シートを左側又は右側へ移動させて、重なる領域を連続的に変えることにより、連続した異なる色への変換が可能である。